(57)【要約】【課題】  ＬＥＤのような指向性が高いランプであって使用者がミラーを直視しても、眩しさを感ずることがなく、コンパクトなミラーに利用できる、照明器を備えたミラーを提供する。【解決手段】  照明器を備え小型で携帯に適したミラーであって、そのミラーが通常に使用される状態でミラーの上端から上方の位置に延びたアームに照明器が設置され、ミラー面に垂直に立てられた軸に向って照明器の光軸を傾斜できるようになっていることを特徴とする。【選択図】  図３
2013222670.tif 000002
【特許請求の範囲】
【請求項１】
照明器を備え小型で携帯に適したミラーであって、そのミラーが通常に使用される状態でミラーの上端から上方の位置に延びたアームに照明器が設置され、ミラー面に垂直に立てられた軸に向って照明器の光軸を傾斜できるようになっていることを特徴とする照明器付きコンパクトミラー。
【請求項２】
最大寸法２００ｍｍ以下のミラーであることを特徴とする請求項１記載のコンパクトミラー。
【請求項３】
照明器のランプがＬＥＤ光源であることを特徴とする請求項１又は請求項２記載の照明器付きコンパクトミラー。
【請求項４】
照明器がミラーの上端に設けたアームに沿って上下にスライド可能で、使用時にミラー上端より突出できるようにしたことを特徴とする請求項1ないし請求項３のいずれかに記載した照明器付きコンパクトミラー。
【請求項５】
ミラーの上端に設けた軸を中心にアームが回転し、使用時にミラー上端より突出できるようにしたことを特徴とする請求項1ないし請求項３のいずれかに記載した照明器付きコンパクトミラー。
【請求項６】
先端に照明器を取付けたアームを不使用時にミラー背面に収納できるようにしたことを特徴とする請求項４または請求項５記載の照明器付きコンパクトミラー。
【発明の詳細な説明】
【技術分野】
【０００１】
この発明は、小型でコンパクトな照明器付きミラーに関するものである。
【背景技術】
【０００２】
小型でコンパクトなミラーは、化粧や髭剃りのため等に携行したりして用いるものとして広く普及している。  
そしてこのようなミラーは、明るい場所で使うばかりでなく、暗い場所で使用したりすることも多く、何等かの照明があると便利である。
【０００３】
そのため、古くからミラーの周辺や化粧用具に照明器を取付けることがおこなわれている。とりわけ昨今はＬＥＤの発達により小型で明るく、白色の照明を得ることができるようになり、コンパクトなミラーに取り付け使用者の顔などを明るく照らせるものが市販されている。
しかしながら、ＬＥＤをミラーの周辺や蓋のヒンジ部分に取付けた場合、使用者が眩しく感じるものが多い。これはミラーが小型でその周囲にＬＥＤを配置しただけなので、指向性の強いＬＥＤの光が容易に視野に入ってしまうために発生する。特に女性がアイラインを描く時には瞼付近に十分な光が必要で、従来のものでは眩しさは避けられない。この問題を解決するためにＬＥＤの光を広い面積に分散する分散板などを設置したものがあるが、ＬＥＤの光量が減じられ、ある程度の厚みも必要になり照明器付きのコンパクトなミラーには利用できない。
このような弊害は、光源としてＬＥＤを使用したときばかりでなく小型のランプを使用したときも同様なことが起き、コンパクトなミラーとしては好ましくなかった。
【先行技術文献】
【特許文献】
【０００４】
【特許文献１】特開平９−２６２１３４
【特許文献２】実開平５−９４１３
【特許文献３】実用新案登録第３１１９５９５号
【０００５】
照明器を備えた携行できるミラーとしては、特許文献１，２及び３が知られているが、何れもミラーの周辺に複数のランプ又はＬＥＤを配置して照明するようになっているだけで、光の指向性に起因する眩しさを改善するための配慮はなされていない。
【発明の概要】
【発明が解決しようとする課題】
【０００６】
本発明は、ＬＥＤのような指向性が高い光源を使用したときであって使用者がミラーを直視しても、眩しさを感ずることがなく、コンパクトなミラーに利用できる、照明器を備えたコンパクトミラーを提供しようとするものである。
【課題を解決するための手段】
【０００７】
すなわち本発明は、照明器を備え小型で携帯に適したミラーであって、そのミラーが通常に使用される状態でミラーの上端から上方の位置に延びたアームに照明器が設置され、ミラー面に垂直に立てられた軸に向って照明器の光軸を傾斜できるようになっていることを特徴とするコンパクトミラーにある。
【０００８】
また本発明は、最大寸法が２００ｍｍ以下のミラーであることを特徴とするものであり、さらにランプがＬＥＤ光源であることを特徴とするものである。
さらにまた、ミラーの上端に設けたアームに沿って上下にスライド可能で、使用時にミラー上端より突出できるようにしたこと及びミラー上端に設けた軸を中心にアームが回転し、使用時にミラー上端より突出できるようにしたことを特徴とし、先端に照明器を取付けたアームを不使用時にミラー背面に収納できるようにしたことを特徴とするものである。
【発明の効果】
【０００９】
本発明は、以上のごとき構成からなるものであるから、ＬＥＤのような指向性が高いランプを備えたミラーであっても、その性質を逆に利用することで眩しさを回避しつつ本来の明るさも維持でき、光分散板なども不要でコンパクトなミラーに適応できるので便利である。また、本発明はアームをスライドさせてミラーを使用するときのみアームを突出させ、不使用時には背面に収納した形にできるので、通常のミラーと同様に使用するきも、また携行して使用するときも便利となる利点がある。
【図面の簡単な説明】
【００１０】
【図１】本発明の原理と従来品の原理とを比較した説明図である。
【図２】本発明の第１実施例を示す斜視図である。
【図３】同第１実施例を示す側面図である。
【図４】本発明の第２実施例を示す縦断面図である。
【図５】本発明の第３実施例を示す斜視図である。
【図６】同第３実施例を示す側面図である。
【図７】光源部を変形した別の例を示す拡大断面図である。
【発明を実施するための形態】
【００１１】
図１は本発明の原理と従来例を説明するもので、使用者の眼１がミラーを見ている状態を示しており、ミラー体２は断面として示している。ここで使用者の眼１がミラー体２の中央の軸３上にある。この中央の軸３の上側が本発明のミラーの原理を示しており、ミラー体２の上方に照明器が取付けられている。この照明器は、ミラー本体４の外周５にアーム６が取付けられ、その先にランプとしてのＬＥＤ光源７を角度aだけ傾けて取付けてある。ＬＥＤ光源７から出ている光軸８の包絡線９は光の指向性を示すもので矢印の長さが光の強度を示している。指向性はこの包絡線９の開いた角度で表され、指向性が高いものはこの角度が小さく包絡線９は扁平になり、指向性が低いと包絡線９は丸くなっていくと共に光の強度も全体に平均化されるために、前方へのものは減少する。なお図中１０は発光部におけるＬＥＤ光源の保持体を示している。
【００１２】
図では指向性の高いＬＥＤ光源７を使い、さらにアーム６で伸ばしているため、その光軸が角度aだけ傾いていて使用者の視野の中心から外れるため眩しさが減少する。角度aが大きいほどこの効果は大きくなる。
そしてＬＥＤ光源７の位置が眼１の上側にあることも重要である。人間の視野は、眼1の中心の上側より下側が広く、さらに両眼視の場合、左右は倍以上広くなる。従って、使用者の眼１の視野は上側が下側より狭いので眩しさを避けることができる。さらにＬＥＤ光源７の光量を減少させる光分散板が必要でないため明るさも確保できる。
【００１３】
一方中心軸３の下側は従来のもの状態を示しており、でミラーの外周５に．ＬＥＤが埋め込まれただけのものを示しており、中心の軸３から少し外れているだけなので角度bは角度aより小さくＬＥＤの光が眼１に入りやすくなる。このような状態となると、本発明のような眩しさを抑えて使用することはできないこととなる。
【００１４】
図２及び図３は、本発明の第１実施例を示すもので、上述した図１の軸３より上方の部分を備えた機構となっている。図において２はミラー体、４はミラー本体で、ＬＥＤ光源７は発光部１１に収められ、透明カバー１２が設けられている。そして、ＬＥＤ光源と電池の入った発光部１１はミラー体２の上端に設置され、アーム１３に沿って矢印Ａのように上下にスライドし、アーム上端で矢印Ｂのように内側に傾くようになっている。こうすることで眼１(図１)の視野の中心からＬＥＤ光源を角度ａで離すことで眩しさを減少させることができる。
【００１５】
この例では、指向性の高いLED光源を用いているが、その光は矢印Ｃのごとくとなり、余分な光が眼に入らなくなると共に、十分な光量で顔を照らすことができる。なおこの例では、簡単な機構で発光部１１を上にスライドさせると自動的に内側に傾くようになっている。さらに発光部１１内部のスイッチを連動させることで発光部１１を上にスライドさせるとＬＥＤ光源が点灯するようになっている。このようにすることで、照明器を使用しないときはアーム１３の高さに発光部１１が収まりコンパクトになる。
【００１６】
図４は、本発明の第２実施例を示すもので、発光部の変形例である。図においてミラー体２の上端に回転軸１４を設けてアーム１５を取付け、これを回転軸１４に内蔵させた巻きバネ１６により図の状態になるように付勢させている。またこの例ではアーム１５にＬＥＤ光源１７及び電池１８を内蔵させている。
図示した例の態様では、前述した例よりアーム１５を長くすることが可能であり、ミラーを使用しない時はミラー本体４の裏側のスペースに回転させることで折り畳み、ラッチ１９により固定させることができる。この例でもアーム１５内にスイッチを取付けておき、アーム１５が回動しミラー体２側に出てきたときにＬＥＤ光源を点灯させるようにすることもできる。
【００１７】
図５及び図６は本発明の第３実施例であり、ポップアップ式の機構を採用している。図５においてラッチ１９を外すとミラー本体４の裏側に内蔵されアーム２０に取付けられている発光部２１がバネ２２の力でミラー体２の上端から突出するようになっており、図６は発光部が不使用時に収納された状態を示している。
このような構成にすると、ラッチ１９を矢印Ｅのように外すと、矢印Ｆのようにアーム２０が上方に飛び出し発光部２１の角度を内側に傾斜するように操作するだけで使用することができ、不使用時には逆の操作を行うことで、簡単に図６の状態に戻すことができる。この例において、発光部２１はアーム２０が突出した時に自動的に内側に傾斜するようにすることもできる。さらにスイッチを連動させ突出時のみＬＥＤ光源を点灯させることもできる。
【００１８】
図７は発光部の別の例を示すもので、ＬＥＤ光源７が収納された発光部１２部分の断面図である。発光部１１の丸い部分に電源となるボタン電池(図示略)が収納されている。全体がミラー体４の上部のアーム１３に取付けられており、上下にスライドするようななっている。この例では、ＬＥＤ光源７は少し奥まって収納されており、光の反射鏡２３はＬＥＤ光源７の光軸に対して非対称になっていており、上方への光をカットするようになっている。これは対向車のドライバーを眩惑させないように考えられた車のヘッドライトと同じ方式である。つまみ２４で発光部１２の傾きを調節できる
以上のように、アーム１３の先に取付けたＬＥＤをミラー体２(図示略)の外周より外側に出し光軸を内側に傾けて、スポットライトのように使うことで、光拡散板や広角指向性のＬＥＤを使用することなく使用者の眩しさを減じることのできるコンパクトな照明器付のミラーを提供することができ、特に使用者がミラー体２に近づいて使うことの多い拡大機能を備えたミラーに利用すると効果が大きい。
【００１９】
以上説明したように、本発明のコンパクトミラーはとりわけＬＥＤ光源を用いたときにその効果を如何なく発揮することとなるが、小型の電球を用いたときでも使用することができる。なお、光源部に用いるＬＥＤの光源は、光源部に１乃至複数個配備させることができる。
また本発明では、小型のミラーに特に効果を発揮できるが、この場合のサイズとしては、直径または一辺の長さが、最大寸法で２００ｍｍ以下のミラーを指している。
【符号の説明】
【００２０】
１    人間の眼        
２    ミラー体              
３    軸        
４    ミラー本体          
５    外周          
６、１３，１５，２０    アーム              
７，１７    ＬＥＤ光源  
８    光軸
９    包絡線                
１１、２１    光源部
１２    透明カバー
１４    回転軸
１６    巻きバネ
１８    電池
１９    ラッチ
２２    バネ
２３    反射ミラー            
２４    スイッチ
【図１】
2013222670.tif 000003
【図２】
2013222670.tif 000004
【図３】
2013222670.tif 000005
【図４】
2013222670.tif 000006
【図５】
2013222670.tif 000007
【図６】
2013222670.tif 000008
【図７】
2013222670.tif 000009